(57)【要約】【課題】洋式トイレの便座、便蓋を開閉するとき、手で直接便座に触れることなく、粘着つまみを便座、便蓋に接着、貼付けておきその粘着つまみを支持して開閉することができる、便座開閉用粘着つまみを提供する。【解決手段】樹脂又はゴム等で形成した便座開閉用粘着つまみ本体１、粘着つまみ１の底面（接着面）２、２−１の面の形状はそれぞれゆるやかな凹面状に形成してある。粘着つまみ１の底面２、２−１には粘着剤を塗布してある。粘着つまみ１の片側面に指掛け用のくぼみ３を設けたことを特徴とする。【選択図】図７
2011161195.tif 000002
【特許請求の範囲】
【請求項１】
樹脂又はゴム等で形成した便座開閉用粘着つまみ本体１、該粘着つまみ１の底面（接着面）２、２−１の面の形状はそれぞれゆるやかな凹面状に形成してある。
粘着つまみ１の底面２、２−１には粘着剤を塗布してある。
粘着つまみ１の片側面に指掛け用のくぼみ３を設けた構成とした便座開閉用粘着つまみを便座、便蓋に貼り付けして便座、便蓋を開閉する方法。
【請求項２】
樹脂又はゴム等で形成した便座開閉用粘着つまみ本体１、該粘着つまみ１の底面（接着面）２、２−１の面の形状は、それぞれゆるやかな凹面状に形成してある。
粘着つまみ１の底面２、２−１には粘着剤を塗布してある。
粘着つまみ１の片側面に指掛け用のくぼみ３を設けた便座開閉用粘着つまみ。
【請求項３】
樹脂又はゴム等で形成した便座開閉用粘着つまみ本体１−１、該粘着つまみ１−１の底面（接着面）４、４−１の面の形状は、長手方向（横方向）の底面４はゆるやかな凹面状を呈し、縦方向４−１の底面は平面状に形成してある。
粘着つまみ１−１の底面４、４−１には粘着剤を塗布してある。
粘着つまみ１−１の片側面に指掛け用のくぼみ３を設けた便座開閉用粘着つまみ。
【請求項４】
樹脂又はゴム等で形成した便座開閉用粘着つまみ本体１−２、該粘着つまみ１−２の底面（接着面）５、５−１の面の形状は、長手方向（横方向）及び縦方向共に平面状に形成してある。
粘着つまみ１−２の底面５、５−１には粘着剤を塗布してある。
粘着つまみ１−２の片側面に指掛け用のくぼみ３を設けた、便座開閉用粘着つまみ。
【発明の詳細な説明】
【技術分野】
【０００１】この発明は、便座及び便蓋の開閉を簡易に行うことができる便座開閉用の粘着つまみに関するものである。
【背景技術】
【０００２】洋式トイレの便座及び便蓋は、男女や大小便等の使用態様に応じて都度開閉することになる。その際便座又は便蓋は直接手で持って上げ下げするように構成されているため衛生上不快感を覚えることがある。
【先行技術文献】
【特許文献】
【０００３】
【特許文献１】特開２００９−１２５３７４号  公報
【特許文献２】特開２００７−５４０８４号  公報
【特許文献３】特開２００６−２９６７３８号  公報
【実用新案文献１】
実開平５−７６３９４号  公報
【実用新案文献２】
登録実案第３１３６２５４号  公報
【発明の概要】
【発明が解決しようとする課題】
【０００４】便座開閉具については種々開発されているが、特殊器具を要する方法（例えば特許文献１、実用新案文献１）、複雑な構成であるもの〔例えば特許文献２、特許文献３〕、あるいは便座の底面に把持部を突出した接着板を挿入して便座と便蓋を一緒に上げる開閉具（例えば実用新案文献２）等がある。
本発明は便座と便蓋それぞれの表面に容易に接着可能な開閉用粘着つまみを接着して、該つまみを支持して簡易に清潔に便座、便蓋を開閉しょうとするものである。
【課題を解決するための手段】
【０００５】洋式トイレの便座及び便蓋はデザイン上その表面（外表）は比較的流線形（曲面）を呈したものが多い。本発明は便座及び便蓋の表面の曲面部に対してもなじみやすく強固に接着すべく樹脂又はゴム等で形成した粘着つまみの底面（接着面）に粘着剤を施し、その底面（接着面）をゆるやかな凹面状に形成して被接着面との接合度合いを密にして接着し、便座及び便蓋の開閉に耐え得るような構成とした。
【発明の効果】
【０００６】上述の様に本発明便座開閉用粘着つまみは、本体を樹脂又はゴム等で形成し、その底面（接着面）に粘着剤を施し、更にその底面（接着面）をゆるやかな凹面状に形成したから曲面を呈する便座及び便蓋の表面に沿い易く（フィットし易く）強固に接着することが可能となった。また既存の各種形状の便座にも対応することが出来る。
【図面の簡単な説明】
【０００７】
【図１】本発明に係る便座開閉用粘着つまみの正面図である。
【図２】本発明に係る便座開閉用粘着つまみの側面図である。
【図３】本発明に係る便座開閉用粘着つまみの他の実施例を示す正面図である。
【図４】本発明に係る便座開閉用粘着つまみの他の実施例を示す側面図である。
【図５】本発明に係る便座開閉用粘着つまみの他の実施例を示す正面図である。
【図６】本発明に係る便座開閉用粘着つまみの他の実施例を示す側面図である。
【図７】本発明に係る便座開閉用粘着つまみの実施例を示す斜視図である。
【発明を実施するための形態】
【０００８】以下、本発明を実施するための形態について説明する。
便座開閉用粘着つまみ本体１、該粘着つまみ１の底面（接着面）２には粘着剤が施されている。  粘着つまみ１の底面２は長手方向（横方向）にゆるやかな凹面状を呈した形状となっている。更にその粘着つまみ１の底面２の側面方向（縦方向）２−１もゆるやかな凹面状を呈した形状となっている。３は使用時に手の指等を掛けやすくするための凹状（くぼみ）を表したもので本図ではアール状であるが角型状であっても良い。
【０００９】粘着つまみ１の底面２及び２−１にはあらかじめ粘着剤が塗布されており、その表面は不使用時はフィルム等により保護されている。便座に貼り付けて使用する際に保護フィルムを剥がして便座本体Ａの表面（外表）に及び便蓋Ｂの表面（外表）に貼り付けて使用する。
【００１０】図７に本発明の一実施例を示し、便座Ａの表面（外表）の適便位置に粘着つまみ１を貼り付け、更に便蓋Ｂの表面（外表）の適便位置にも粘着つまみ１を貼り付け使用する。
便座Ａ、及び便蓋Ｂへの接着場所がやや曲面状であっても、粘着つまみ１の底面が凹面となっているからしっくりと貼り付け固着できる。
便蓋Ｂの重量は比較的軽いが、便座Ａの重量は重いことから便座Ａに使用する粘着つまみ１の本体の大きさを適便大きくしたものを使用することにより便座Ａの重量に耐えることができる。また粘着つまみ１本体の材質をゴムあるいは多少のたわみ可能な樹脂を用いることにより、押圧接着してさらに接着度合いがしっくり固着できる。
【００１１】本発明の他の実施例において、便座Ａ又は便蓋Ｂの接着部位の表面が、長手方向（横方向）が曲面で他方の縦方向がほぼ平面である場合には、図３、図４に示した形状の粘着つまみ１−１を用いる。
粘着つまみ１−１の底面４、４−１には粘着剤が施されている。粘着つまみ１−１の底面４の形状は長手方向（横方向）にゆるやかに凹面状を呈し、縦方向４−１は平面状となっている。
【００１２】本発明の他の実施例において、便座Ａ又は便蓋Ｂの接着部位の表面が共にほぼ平らな平面状である場合には、図５、図６に示した形状の粘着つまみ１−２を用いる。
粘着つまみ１−２の底面５、５−１には粘着剤が施されている。粘着つまみ１−２の底面５、５−１の形状は共に平面状となっている。
便座Ａ又は便蓋Ｂの中央側面部あるいは根元部に近い位置の側面部位で比較的平面な部分に貼り付けして使用するに適している。
【符号の説明】
【００１３】１      粘着つまみ
２      粘着つまみの底面
２−１  粘着つまみの底面
３      指掛け部
１−１  他例の粘着つまみ
４      粘着つまみの底面
４−１  粘着つまみの底面
１−２  他例の粘着つまみ
５      粘着つまみの底面
５−１  粘着つまみの底面
Ａ      便座
Ｂ      便蓋
【図１】
2011161195.tif 000003
【図２】
2011161195.tif 000004
【図３】
2011161195.tif 000005
【図４】
2011161195.tif 000006
【図５】
2011161195.tif 000007
【図６】
2011161195.tif 000008
【図７】
2011161195.tif 000009